(57)【要約】      （修正有）【課題】アドレス帳内のアドレスリストを他のコンピューターにシェアでき、アドレス帳内部のデータの安全性を増強させる電子メールのアドレス帳共有システム及びその方法を提供する。【解決手段】電子メールサーバー及び複数のユーザ端コンピューターを含み、電子メールサーバー内にはアドレス帳が供給され、該アドレス帳は公共アドレス帳データベースとプライベートアドレス帳データベースを含み、これらのユーザ端コンピューターが電子メールサーバーに登録するときに、ともにアドレス帳のデータを読み取ることができ、アドレス帳のデータをこれらのユーザ端コンピューターに共有できるようにする。【選択図】図１
2007058457.tif 000002
【特許請求の範囲】
【請求項１】
アドレス帳を有する電子メールサーバーと、ネットワークにより電子メールサーバーにそれぞれ登録される複数のユーザ端コンピューターとを含み、
前記電子メールサーバーはアドレス帳の操作権限をこれらのユーザ端コンピューターに供給することを特徴とする電子メールのアドレス帳共有システム。
【請求項２】
前記電子メールサーバーは、ＩＰメールサーバーであることを特徴とする請求項１記載の電子メールのアドレス帳共有システム。
【請求項３】
前記アドレス帳は公共アドレス帳データベースを有し、前記公共アドレス帳データベースには複数の共有アドレスリストが保存されることを特徴とする請求項１記載の電子メールのアドレス帳共有システム。
【請求項４】
前記電子メールサーバーは、さらに、各ユーザ端コンピューターが公共アドレス帳データベースが保存するデータに対しての操作権限を設定する権限設定モジュールを含み、前記操作権限は読み取り権限、追加権限、訂正権限及び／或は削除権限であることを特徴とする請求項３記載の電子メールのアドレス帳共有システム。
【請求項５】
前記アドレス帳は、さらに、複数のプライベートアドレス帳データベースを有し、これらのプライベートアドレス帳データベースが、これらのユーザ端コンピューターのうち一つにそれぞれ対応して、これらのユーザ端コンピューターにプライベートアドレスリストをそれぞれ保存することを特徴とする請求項３記載の電子メールのアドレス帳共有システム。
【請求項６】
前記電子メールサーバーは、さらに、各ユーザ端コンピューターが公共アドレス帳データベース及びプライベートアドレス帳データベースが保存するデータに対しての読み取り権限、追加権限、訂正権限及び／或は削除権限を設定する権限設定モジュールを含むことを特徴とする請求項５記載の電子メールのアドレス帳共有システム。
【請求項７】
前記ネットワークは、内部ネットワーク或はインターネットであることを特徴とする請求項１記載の電子メールのアドレス帳共有システム。
【請求項８】
前記電子メールサーバーは、さらに、これらのユーザ端コンピューターが捜索条件を設定することにてアドレス帳から符合のデータを探し出す全文検索モジュールを含むことを特徴とする請求項１記載の電子メールのアドレス帳共有システム。
【請求項９】
アドレス帳を有する第１電子メールサーバーと、ネットワークにより電子メールメッセージをそれぞれ受送信する第２電子メールサーバーと、それぞれ複数のユーザ端コンピューターからなる複数のユーザ端グループを含み、ユーザ端グループ単位で一つの第２電子メールサーバーにそれぞれ接続し、これらのユーザ端グループのこれらのユーザ端コンピューターが、接続された第２電子メールサーバーにより電子メールを受送信し、
これらのユーザ端グループのこれらのユーザ端コンピューターは、ネットワークにより第１電子メールサーバーに登録し、第１電子メールサーバーはアドレス帳の操作権限をこれらのユーザ端グループのこれらのユーザ端コンピューターに供給することを特徴とする電子メールのアドレス帳共有システム。
【請求項１０】
前記電子メールサーバーは、ＩＰメールサーバーであることを特徴とする請求項９記載の電子メールのアドレス帳共有システム。
【請求項１１】
前記アドレス帳は公共アドレス帳データベースを有し、前記公共アドレス帳データベースには複数の共有アドレスリストが保存されることを特徴とする請求項９記載の電子メールのアドレス帳共有システム。
【請求項１２】
前記電子メールサーバーは、さらに、複数のプライベートアドレス帳データベースを有し、これらのプライベートアドレス帳データベースが、これらのユーザ端コンピューターのうち一つにそれぞれ対応して、これらのユーザ端グループのこれらのユーザ端コンピューターにプライベートアドレスリストをそれぞれ保存することを特徴とする請求項１１記載の電子メールのアドレス帳共有システム。
【請求項１３】
前記電子メールサーバーは、さらに、、これらのユーザ端グループのこれらのユーザ端コンピューターが公共アドレス帳データベース及びこれらのプライベートアドレス帳データベースが保存するデータに対しての操作権限を設定する権限設定モジュールを含み、前記操作権限は読み取り権限、追加権限、訂正権限及び／或は削除権限であることを特徴とする請求項１２記載の電子メールのアドレス帳共有システム。
【請求項１４】
前記電子メールサーバーは、さらに、これらのユーザ端グループのこれらのユーザ端コンピューターが、捜索条件を設定することにてアドレス帳から符合のデータを探し出す全文検索モジュールを含むことを特徴とする請求項９記載の電子メールのアドレス帳共有システム。
【請求項１５】
アドレス帳を有する電子メールサーバーと、ネットワークにより電子メールサーバーにそれぞれ登録される複数のユーザ端コンピューターとを含み、これらのユーザ端コンピューターが電子メールサーバーに登録されるときに、前記電子メールサーバーはアドレス帳のアクセス権限をこれらのユーザ端コンピューターに供給することを特徴とする電子メールのアドレス帳共有方法。
【請求項１６】
前記電子メールサーバーは、ＩＰメールサーバーであることを特徴とする請求項１５記載の電子メールのアドレス帳共有方法。
【請求項１７】
前記アドレス帳は公共アドレス帳データベースを有し、前記公共アドレス帳データベースには複数の共有アドレスリストが保存されることを特徴とする請求項１５記載の電子メールのアドレス帳共有方法。
【請求項１８】
前記電子メールサーバーは、さらに、これらのユーザ端コンピューターが公共アドレス帳データベースが保存するデータに対しての操作権限を設定する権限設定モジュールを含み、前記操作権限は読み取り権限、追加権限、訂正権限及び／或は削除権限であることを特徴とする請求項１７記載の電子メールのアドレス帳共有方法。
【請求項１９】
前記これらのユーザ端コンピューターは電子メールサーバーに登録するときに、前記電子メールサーバーは、これらのユーザ端コンピューターの名称を識別しこれらのユーザ端コンピューターが前記権限設定モジュール内に設定されるか否かを判断することを特徴とする請求項１８記載の電子メールのアドレス帳共有方法。
【請求項２０】
前記アドレス帳は、さらに、複数のプライベートアドレス帳データベースを有し、これらのプライベートアドレス帳データベースが、これらのユーザ端コンピューターのうち一つにそれぞれ対応して、これらのユーザ端コンピューターにプライベートアドレスリストをそれぞれ保存することを特徴とする請求項１５記載の電子メールのアドレス帳共有方法。
【請求項２１】
前記電子メールサーバーは、さらに、これらのユーザ端コンピューターが公共アドレス帳データベース及びこれらのプライベートアドレス帳データベースが保存するデータに対しての操作権限を設定する権限設定モジュールを含み、前記操作権限は読み取り権限、追加権限、訂正権限及び／或は削除権限であることを特徴とする請求項２０記載の電子メールのアドレス帳共有方法。
【請求項２２】
前記これらのユーザ端コンピューターは電子メールサーバーに登録するときに、前記電子メールサーバーは、これらのユーザ端コンピューターの名称を識別しこれらのユーザ端コンピューターが前記権限設定モジュール内に設定されるか否かを判断することを特徴とする請求項２１記載の電子メールのアドレス帳共有方法。
【請求項２３】
前記ネットワークは、内部ネットワーク或はインターネットであることを特徴とする請求項１５記載の電子メールのアドレス帳共有方法。
【請求項２４】
さらに、これらのユーザ端コンピューターが電子メールサーバーに登録するときに、捜索条件を設定することにてアドレス帳から符合のデータを探し出す全文検索モジュールを含むことを特徴とする請求項１５記載の電子メールのアドレス帳共有方法。
【請求項２５】
複数のユーザ端コンピューターからなる複数のユーザ端グループに適応する電子メールのアドレス帳共有方法において、
アドレス帳を有する第１電子メールサーバーと、
個々がユーザ端グループにそれぞれ接続し、ネットワークにより電子メールメッセージをそれぞれ受送信する第２電子メールサーバーを含み、これらのユーザ端グループのこれらのユーザ端コンピューターが、接続された第２電子メールサーバーにより電子メールを受送信し、
これらのユーザ端グループのこれらのユーザ端コンピューターは、電子メールサーバーに登録するときに、第１電子メールサーバーはアドレス帳の操作権限をこれらのユーザ端グループのこれらのユーザ端コンピューターに供給することを特徴とする電子メールのアドレス帳共有方法。
【請求項２６】
前記電子メールサーバーは、ＩＰメールサーバーであることを特徴とする請求項２５記載の電子メールのアドレス帳共有方法。
【請求項２７】
前記アドレス帳は公共アドレス帳データベースを有し、前記公共アドレス帳データベースには複数の共有アドレスリストが保存されることを特徴とする請求項２５記載の電子メールのアドレス帳共有方法。
【請求項２８】
前記電子メールサーバーは、さらに、複数のプライベートアドレス帳データベースを有し、これらのプライベートアドレス帳データベースが、これらのユーザ端コンピューターのうち一つにそれぞれ対応して、これらユーザ端コンピューターにプライベートアドレスリストをそれぞれ保存することを特徴とする請求項２７記載の電子メールのアドレス帳共有方法。
【請求項２９】
前記電子メールサーバーは、さらに、これらのユーザ端コンピューターが公共アドレス帳データベース及びこれらのプライベートアドレス帳データベースが保存するデータに対しての操作権限を設定する権限設定モジュールを含み、前記操作権限は読み取り権限、追加権限、訂正権限及び／或は削除権限であることを特徴とする請求項２８記載の電子メールのアドレス帳共有方法。
【請求項３０】
前記これらのユーザ端コンピューターは電子メールサーバーに登録するときに、前記電子メールサーバーは、これらのユーザ端コンピューターの名称を識別しこれらのユーザ端コンピューターが前記権限設定モジュール内に設定されるか否かを判断することを特徴とする請求項２９記載の電子メールのアドレス帳共有方法。
【請求項３１】
さらに、これらのユーザ端コンピューターが電子メールサーバーに登録するときに、捜索条件を設定することにてアドレス帳から符合のデータを探し出す全文検索モジュールを含むことを特徴とする請求項２５記載の電子メールのアドレス帳共有方法。
【発明の詳細な説明】
【技術分野】
【０００１】
本発明は、電子メールのアドレス帳共有システム及びその方法に係わり、とくに、アドレス帳を他のコンピューターにシェアするアドレス帳共有システム及びその方法に関するものである。
【背景技術】
【０００２】
インターネットの台頭に伴い、従来の書面ファイルの転送がネットワーク情報の転送に大幅に取り替えられ、電子メール(E-mail)の受送信技術は最も普及し、各会社や団体、家庭及び個人に広く使われている。電子メールがこのように好まれるのは、便利で速やかで尚且つ国境のない快速な転送ができ、転送内容もマルチメディア情報を含み、並びに数多くの受信者に同時に転送できるなどの利点を有し、これらの利点により、電子メールは情報時代の不可欠な重要な伝送媒介になった。
【発明の開示】
【発明が解決しようとする課題】
【０００３】
現在のメールボックスが使用するアドレス帳について、例えば、米国マイクロソフト社が提供しているＯｕｔｌｏｏｋ  Ｅｘｐｒｅｓｓは、コンピューターのユーザが自分の持つアドレス帳を作成し、且つアドレス帳のコンテンツデータについてもユーザより追加や削除或は訂正することができる。しかし、会社にとって社員のコンピューター内のアドレス帳データは最も貴重なもので、アドレス帳内には社員個人のアドレスリストが記載される一方、会社の大事な顧客のアドレスリストも記載でき、これらの大事な顧客のアドレスリストデータの安全性が憂慮され、如何なる人がこれを追加や削除或は訂正することができ、特に社員が辞職した際に、アドレスリストのうち大事な顧客に関するアドレスリストを削除し易く、適切に保留していないので、このような問題は会社に迷惑をかけることになる。また、会社のコンピューターごとにおいてのアドレス帳は、ともに単独にアクセスされており、他のコンピューターにシェアすることができない、特に、会社の大事な顧客のアドレスリストには、共有制度が構築できれば、社員の仕事効率の助けになる。
【課題を解決するための手段】
【０００４】
本発明が解決しようとする技術問題は、アドレス帳内に記載さているアドレスリストを他のコンピューターにシェアでき、且つ該アドレス帳がアクセス権限の判断を供給し、アドレス帳内部のデータの安全性を増強させる電子メールのアドレス帳共有システム及びその方法を提供する。
【０００５】
前記の技術問題を解決するために、本発明の一つの方案によれば、アドレス帳を有する電子メールサーバーと、ネットワークにより電子メールサーバーにそれぞれ登録される複数のユーザ端コンピューターとを含み、前記電子メールサーバーはアドレス帳の操作権限をこれらのユーザ端コンピューターに供給することを特徴とする電子メールのアドレス帳共有システムを提供する。
【０００６】
前記の技術問題を解決するために、本発明の他一つの方案によれば、アドレス帳を有する電子メールサーバーと、ネットワークにより電子メールサーバーにそれぞれ登録される複数のユーザ端コンピューターとを含み、これらのユーザ端コンピューターが電子メールサーバーに登録されるときに、前記電子メールサーバーはアドレス帳の操作権限をこれらのユーザ端コンピューターに供給することを特徴とする電子メールのアドレス帳共有方法を提供する。
【０００７】
本発明の電子メールのアドレス帳共有システム及びその方法を採用すると、アドレス帳を電子メールサーバー内に置くことで、ユーザ端コンピューターがこの電子メールサーバーに登録するときにアドレス帳を読み取り、アドレス帳データの共有効果を達成できる。
【発明を実施するための最良の形態】
【０００８】
本発明が所定の目的を達成するために採用する技術手段及びその効果をさらに詳細的で具体的に説明するために、以下に本発明に関わる詳しい説明及び添付図面を参照することにより、深く且つ具体的な理解を得られるが、それらの添付図面が参考及び説明のみに使われ、本発明の主張範囲を狭義的に局限するものではないことは言うまでもないことである。
【０００９】
会社にとって、会社内部のメール管理は、普通、電子メールサーバーによりメールを受送信し、会社の顧客リストのアドレス帳も、普通、会社内部の各ユーザ端コンピューター内に保存されるが、アドレス帳は共有効果を供給できなく管理もし難い。以上の要因に基づいて、本発明は、アドレス帳を電子メールサーバー内に設置することで統括管理を果たす。
【００１０】
図１は本発明の好ましい実施例のシステム構造図であり、図１を参照すると、本実施例は、主従構造のクライアント・サーバー・システムに構築される電子メールのアドレス帳共有システムを供給し、本実施例は、会社本部の環境で電子メールサーバー１０（第１電子メールサーバー）と複数のユーザ端コンピューター２１とを供給し、ユーザ端コンピューター２１は、電子メールサーバー１０とネットワーク２０によりメールの受送信管理を行い、また、他の子会社３３のユーザ端コンピューター（図を省略）も、会社本部の電子メールサーバー１０とネットワーク３０によりメールの受送信管理を行い、電子メールサーバー１０は、本実施例ではメールの受送信を除く、アドレス帳共有の機能操作をも供給する。実施例でのネットワーク２０は会社内部のネットワーク(Intranet)であり、ネットワーク３０はインターネット(Internet)である。また、子会社３３とネットワークの間にさらに電子メールサーバー３１（第２電子メールサーバー）が供給でき、子会社３３は電子メールサーバー３１に連接され、この電子メールサーバー３１は、主に電子メールの受送信をするが、アドレス帳共有の機能操作を供給しない。また、本実施例で指す子会社３３は、複数のユーザ端コンピューターよりなるユーザ端グループとしても良い。
【００１１】
本実施例の電子メールサーバー１０は、ＩＰメールサーバー(Internet Protocol Mail Server) である。そのため、本実施例では、操作するときに、各ユーザ端コンピューター２１は、ネットワーク２０により電子メールサーバー１０内に登録でき、電子メールサーバー１０が保存している通信データは、各ユーザ端コンピューター２１に共有することができる。他の子会社３３にとって、各子会社３３のユーザ端コンピューターも、ネットワーク３０により電子メールサーバー１０内に登録でき、電子メールサーバー１０が保存している通信データは、同様に各子会社３３のユーザ端コンピューターに共有することができる。
【００１２】
本実施例の電子メールサーバー１０は、権限設定モジュール１１と全文検索モジュール１３とアドレス帳１５とを含む。本実施例のアドレス帳１５は、さらに公共アドレス帳データベース１５１と複数のプライベートアドレス帳データベース１５３とを含む。公共アドレス帳データベース１５１には公共アドレス帳データの共有アドレスリストが保存され、且つ公共アドレス帳データが各ユーザ端コンピューター２１及び子会社のユーザ端コンピューターに読み取られる。また、プライベートアドレス帳データベース１５３にはプライベートアドレス帳データのプライベートアドレスリストが保存され、且つユーザ端コンピューター或は子会社のユーザ端コンピューターをプライベートアドレス帳データベース１５３に対応し、ユーザ端コンピューターごとに自分専用のプライベートアドレス帳を使用できる。
【００１３】
本実施例の権限設定モジュール１１は、各ユーザ端コンピューターがアドレス帳１５内の公共アドレス帳データベース１５１及び複数のプライベートアドレス帳データベース１５３が保存するデータに対しての操作権限を設定でき、操作権限は読み取り、追加、訂正或は削除の権限で良い。権限設定モジュール１１がユーザ端コンピューターの身分を判別するのは、ユーザ端コンピューター自体のコンピューター名称により達成できる。権限設定モジュール１１は内容設定を実行するときに、電子メールサーバー１０に登録するユーザ端コンピューターがパースワードを入力することを求め、正しいパースワードを入力したユーザ端コンピューターのみが、権限設定モジュール１１の内容に対して設定できる。本実施例には、各ユーザ端コンピューターをともに公共アドレス帳データベース１５１に読み取り並びに追加権限を有するように設定し、アドレス帳共有の効果に達成する。また、プライベートアドレス帳データベース１５３については、権限設定モジュール１１によりプライベートアドレス帳データベース１５３ごとを一台のユーザ端コンピューターに対応し読み取り並びに追加の権限操作を有するように設定し、ユーザ端コンピューターによりプライベートであるアドレス帳データをプライベートアドレス帳データベース１５３に保存し、公共アドレス帳データベース１５１が保存する公共アドレス帳データと分けて管理させる。権限設定モジュール１１は、アドレス帳１５の全ての操作権限を特定のユーザ端コンピューターに開放して使用され、公共アドレス帳データベース１５１及び複数のプライベートアドレス帳データベース１５３が保存するデータに対しメンテナンス管理しても良い。
【００１４】
その一方、アドレス帳１５が保存するアドレス帳データが多くなると、ユーザよりアドレス帳データを一々捜索すれば、多くの時間が掛かるため、本実施例が供給する全文検索モジュール１３は、ユーザにて捜索条件を設定し、且つ公共アドレス帳データベース１５１から符合のデータを探し出すことができる。
【００１５】
図２は本発明の好ましい実施例のアドレス帳共有フローチャートであり、図２を参照すると、以下のようなステップを含む。先ず、ユーザ端コンピューターより電子メールサーバー１０に登録し（Ｓ２０１）、次に、電子メールサーバー１０により登録されるユーザ端コンピューターを識別し（Ｓ２０３）、このステップでの識別方式は、各ユーザ端コンピューター内の名称で電子メールサーバー１０により各ユーザ端コンピューターの身分を判断し、ユーザ端コンピューターの身分が電子メールサーバー１０に識別された後に、権限設定モジュール１１の設定内容に基づいてアドレス帳の使用権限を登録されたユーザ端コンピューターに開放し（Ｓ２０５）、本実施例で電子メールサーバー１０に登録するユーザ端コンピューターは、公共アドレス帳データベース１５１が保存するデータに対し読み取り並びに追加ができ、同様に、ユーザ端コンピューターは、対応するプライベートアドレス帳データベース１５３が保存するデータに対しても読み取り並びに追加ができる。
【００１６】
図３は本発明のアドレス帳共有の画面を示す図である。図３を参照すると、本実施例のアドレス帳画面は、共有アドレス帳表示窓４１とプライベートアドレス帳表示窓４２とアドレスリスト表示窓４３を含む。共有アドレス帳表示窓４１は電子メールサーバー１０のうち公共アドレス帳データベース１５１のデータを表示するもので、ユーザ端コンピューターが電子メールサーバー１０に登録されると、この共有アドレス帳表示窓４１は公共アドレス帳データベース１５１のデータを表示でき、また、ユーザ端コンピューターが公共アドレス帳データベース１５１のデータをさらに読み取り、追加、訂正及び削除できるかどうかは、権限設定モジュール１１により読み取り、追加、訂正及び削除の権限をユーザ端コンピューターに開放するか否かを決定する。共有アドレス帳表示窓４１はアドレスリストをグループの方式で分類し（これに限られる訳ではない）、ほしい共有ドレスリストを速やかに探し出し、また、窓４１は全文検索セレクト４１１及び権限設定セレクト４１２をも供給する。プライベートアドレス帳表示窓４２は、ユーザ端コンピューターが電子メールサーバー１０中の対応するプライベートアドレス帳データベース１５３のデータを表示し、同様にグループ分類の方式で表示する（これに限られる訳ではない）。アドレスリスト表示窓４３には、共有アドレス帳表示窓４１とプライベートアドレス帳表示窓４２でクリックしたグループに基づいて、このグループのうち全てのアドレスリストデータを表示する。
【００１７】
権限設定セレクト４１２をクリックするときに、電子メールサーバー１０によりユーザ端コンピューターのユーザが権限設定モジュール１１の設定内容を変更する権限があるか否かを判断するように、ユーザ端コンピューターがパースワードを入力することが求められ、入力のパースワードが正確であれば、図４に示される画面が現われ、共有アドレス帳編集窓４４とプライベートアドレス帳編集窓４５と権限設定編集窓４６とを含み、共有アドレス帳編集窓４４とプライベートアドレス帳編集窓４５は、ともに追加、名称変更及び削除の機能セレクトを供給し、この追加、名称変更及び削除の機能セレクトは、共有アドレス帳編集窓４４とプライベートアドレス帳編集窓４５が表示するグループデータを編集することができる。権限設定編集窓４６では、ユーザ端コンピューターがアドレス帳１５が保存する読み取り、追加、訂正及び削除に対しの権限を編集でき、例えば、権限設定編集窓４６内の追加セレクト４１３をクリックすると、図５に示される画面が現われ、勿論、追加セレクト４１３をクリックする前に、先に共有アドレス帳編集窓４４或はプライベートアドレス帳編集窓４５のいずれか一つのグループ或はグループ内のより細かい分岐グループを選択する必要があり、その意義は先にグループを選び、その後に追加セレクト４１３をクリックし、このクリックしたグループには人員選択の設定或は人員グループ部門の問い合わせ、追加、訂正或は削除の権限設定をし、対象欄４１４ではユーザ端コンピューター或はグループ（複数のユーザ端コンピューターよりなる）が選択でき、読み権限欄４１５、訂正権限欄４１７及び削除権限欄４１８では自己、全部或は有しない機能選択を供給し、追加権限欄４１６では許容及び許さない機能選択を供給する。
【００１８】
図３では、全文検索セレクト４１１をクリックすると、図６に示される画面が現われ、複数の捜索欄を供給し、また異なる捜索欄ではポイントワードを入力しアドレス帳１５から要望のアドレスリストを探し出せる。
【００１９】
以上のように、本実施例が提供する電子メールのアドレス帳共有システム及びその方法は、アドレスリストのうち公共及びプライベートアドレスリストデータを電子メールサーバー１０内に入れ、各ユーザ端コンピューターが電子メールサーバー１０に登録することによりアドレスリストデータの操作権限（例えば、読み取り、追加、訂正及び削除）をし、アドレス帳共有の効果を達成する。また、電子メールサーバー１０のうちアドレス帳１５が保存するデータの安全及び統合性を確保するために、本実施例では如何なるユーザ端コンピューターがともに電子メールサーバー１０内のアドレス帳１５にデータの読み取り或は編集できることではなく、権限設定モジュール１１により判断機構を供給し、権限が許容するユーザ端コンピューターだけが電子メールサーバー１０内のアドレス帳１５が保存するアドレスデータを読み取り或は編集できる。
【００２０】
そのため、本発明は確かに前記掲示された技術により、従来に全く異なる設計を供給し、全体の使用価値を向上でき、また、出願前に刊行物に記載されず或は公開実施されず、フルに特許発明の要件を満たす。
【００２１】
しかし、前記に開示された図面及び説明は、単に本発明の実施可能な実施例に過ぎなく、本発明の特徴を局限するものではなく、いずれの当該分野における通常の知識を有する専門家が本発明の分野の中で、適当に変更や修飾などを実施できるが、それらの実施のことが本発明の主張範囲内に納入されるべきことは言うまでもないことである。
【図面の簡単な説明】
【００２２】
【図１】本発明の好ましい実施例のシステム構造図である。
【図２】本発明の好ましい実施例のアドレス帳共有フローチャートである。
【図３】本発明のユーザ端コンピューターに表示されるアドレス帳共有の画面を示す図である。
【図４】本発明のユーザ端コンピューターに表示されるアドレス帳権限設定画面を示す図である。
【図５】図４においての権限設定欄でクリック追加したの画面を示す図である。
【図６】本発明の全文検索の画面を示す図である。
【符号の説明】
【００２３】
１０  電子メールサーバー
１１  権限設定モジュール
１３  全文検索モジュール
１５  アドレス帳
１５１公共アドレス帳データベース
１５３プライベートアドレス帳データベース
２０  ネットワーク
２１  ユーザ端コンピューター
３０  ネットワーク
３１  電子メールサーバー
【図１】
2007058457.tif 000003
【図２】
2007058457.tif 000004
【図３】
2007058457.tif 000005
【図４】
2007058457.tif 000006
【図５】
2007058457.tif 000007
【図６】
2007058457.tif 000008